(57)【要約】【課題】  本発明は、顧客が陳列棚上の対象商品に接近すると、人感センサーを通して光パターンと音声を発して瞬時に商品情報を伝達し、商品販売の広告効果を高めることを目的とする。【解決手段】  ＥＬプレート上に加工された複数のセグメントが連続して発光するようにインバーター回路により必要な交流電流に周波数の変換を行い、人感センサーにより接近する人間を感知してセンサー制御回路に信号を送り、同制御回路からの動作開始の信号を連動制御・演算回路から受けて発光及び音声の動作が連動して開始するよう制御するとともに、発光面積の異なる各セグメントが同じ明るさで発光するように調整し、各セグメントの発光タイミングと発光時間を定められたプログラムにより制御し、予め記憶されている音声を連動制御回路からの動作開始信号により出力し、出力された音声を適量に増幅して成る。【選択図】    図１
2007271737.tif 000002
【特許請求の範囲】
【請求項１】
ＥＬプレート上に加工された複数のセグメントが連続して発光するようにインバーター回路により必要な交流電流に周波数の変換を行い、人感センサーにより接近する人を感知してセンサー制御回路に信号を送り、同制御回路からの動作開始の信号を連動制御・演算回路から受けて発光及び音声の動作が連動して開始するように制御するとともに、発光面積の異なる各セグメントが同じ明るさで発光するように調整し、各セグメントの発光タイミングと発光時間をプログラムによって制御し、予め記憶されている音声を連動制御回路からの動作開始信号によって出力し、出力された音声を適量に増幅して成ることを特徴とする販売広告方式。
【請求項２】
ＥＬプレート上に加工された複数のセグメントが連続して発光するようにインバーター回路により必要な交流電流に周波数の変換を行い、人感センサーにより接近する人を感知して人感センサー制御回路に信号を送り、同制御回路からの動作開始の信号を連動制御・演算回路から受けて発光及び音声の動作が連動して開始するように制御するとともに、発光面積の異なる各セグメントが同じ明るさで発光するように調整し、各セグメントの発光タイミングと発光時間をプログラムによって制御し、予め記憶されている音声を連動制御回路からの動作開始信号によって出力し、出力された音声を適量に増幅して成ることを特徴とする販売広告装置。
【請求項３】
人感センサーを設けたＥＬプレートを商品の陳列部に隣接して配置し、電池，インバータ回路，連動制御・演算回路，音声メモリー回路，音声増巾回路及びスピーカーを内蔵する器体を棚下などの人目に触れない場所に分離して設置することを特徴とする販売広告装置。
【発明の詳細な説明】
【技術分野】
【０００１】
本発明は、店舗内における商品の販売広告方法及びその装置に関するものである。
【背景技術】
【０００２】
従来、店舗内における商品の販売促進媒体として使われるＰＯＰは、ポスターやプレートなどの平面体が中心であり、稀にテレビによる動画やテープ等による音声発生手段や蛍光灯・ＬＥＤを使用した発光・照明性のあるものが存していた。
【０００３】
ところが、紙やプラスチックシート等による平面的ＰＯＰの場合は、文字と画像で情報を伝達するものであるから、比較的安価に製作することができ、しかも薄板状であるから取り付けておいても商品の出し入れに支障を与えることは殆どないが、当該商品についての詳しい情報が通行人に伝達されないという欠点があった。
【０００４】
また、陳列棚用の液晶テレビの場合はＡＣ電源を必要とするため、設置場所に制約があり、設置に手数がかかり普及の障害となっていたし、また表示部分が大きいことから商品の出し入れの邪魔になり、また動画ソフトの製作がきわめて高価につき、毎日の使用料金も高くなり、また音声，画像は垂れ流し状態になるため、当該商品に対し通行人の注目を引かせて認知させることができず、しかもテレビの画面の中だけでの表現という欠点があった。
【０００５】
これらの欠点を改良せんとする考え方としては、次のような技術文献が見られるが、いずれも実用性を欠くものであった。
【０００６】
【特許文献１】実開平６-８９９１号公報
【特許文献２】特開平１０−９７２１２号公報
【特許文献３】特開２００２−１１６８５８号公報
【０００７】
即ち、文献１は工事現場で採用されるもので、通行人を検知した時に音声メッセージを発するだけのものであり、文献２はこれも看板に人が接近すると音声を発生するだけのものであり、文献３は正にＰＯＰ広告装置であり、複数のＰＯＰ広告を蓄積する手段と特定広告を選択する手段と特定広告を出力する手段とから成るもので、ＥＬプレート上の各セグメントの発光と音声との組合せから成るものではない。
【発明の開示】
【発明が解決しようとする課題】
【０００８】
そこで、本発明は、前記したような従来物による販売広告手段の欠点を一掃した全く新機軸の販売広告方式と装置を提供することを目的とするとともに、商品の陳列部に隣接して広告用のＥＬプレートを配置しても、そのプレート上のセグメントを操作する機材は人目のつかない場所に設置するようにすることを目的とする。
【課題を解決するための手段】
【０００９】
本発明は、ＥＬプレート上に加工された複数のセグメントが連続して発光するようにインバーター回路により必要な交流電流に周波数の変換を行い、人感センサーにより接近する人間を感知してセンサー制御回路に信号を送り、同制御回路からの動作開始の信号を連動制御・演算回路から受けて発光及び音声の動作が連動して開始するよう制御するとともに、発光面積の異なるＥＬ各セグメントが同じ明るさで発光するように調整し、ＥＬ各セグメントの発光タイミングと発光時間を定められたプログラムにより制御し、予め記憶されている音声を連動制御回路からの動作開始信号により出力し、出力された音声を適量に増幅して成るものである。
【００１０】
また本発明は、人感センサーを設けたＥＬプレートを商品の陳列部に隣接して配置し、電池，インバータ回路，連動制御・演算回路，音声メモリー回路，音声増巾回路及びスピーカーを内蔵する器体を棚下などの人目に触れない場所に分離して設置するものである。
【発明の効果】
【００１１】
第１に、ＥＬプレートを、当該商品について文字や図形等にセグメント加工することによって複雑な光パターンの展開を可能とする。
【００１２】
第２に、顧客が陳列棚板上の当該商品に接近すると、人感センサーで感知して作動するから、当該商品に対する顧客の関心・注目度を特に向上させることができる。
【００１３】
第３に、光パターンのみならず、音声を同時に発するものであるから、瞬時に顧客に対し当該商品の情報を確実に伝達することができる。
【００１４】
第４に、ＡＣ電源も使用可能ではあるが、リチウム電池を内蔵して長時間にわたり作用させることができる。
【００１５】
第５に、当該商品の陳列棚板上にＥＬプレートの表示パネルを配置するが、電池・回路基板及びスピーカー等の部材を収容する器体は、棚板の裏面側などの人目に触れない場所に磁石等で接着し、ＥＬプレートとは分離した状態で設置しておくものであるから、商品陳列上の支障とはならず、広告体と作用機材とを分離設置することができることによって、その商品販売の広告効果は大きくなる。
【発明を実施するための最良の形態】
【００１６】
本装置を設置するときは、特定商品の広告宣伝のために、人感センサーを適所に設けたＥＬプレートを顧客が接近通過する商品陳列棚の正面適所に配置し、このＥＬプレートに連通する配線コードを介して、内部に電池，インバータ回路，連動制御・演算回路，音声メモリー回路，音声増巾回路及びスピーカーを内蔵する器体を、棚板下などの人目につかない場所に分離して設置する。（図４参照）
【００１７】
また、内部商品の見える硝子扉がついている冷蔵庫などの場合にあっては、庫上に置いてＥＬプレートを下向きにして配置する。（図５参照）
【実施例】
【００１８】
（1）インバーター回路
ＥＬプレート１は、交流電流の周波数と同じ回数だけ瞬間的に発光するため、連続して点灯しているように見せるには、交流４００Ｈｚ以上の周波数に変換しなければならないことから、このインバーター回路は複数のセグメントが発光するのに必要な交流電流に周波数の変換を行う。
【００１９】
（２）人感センサー
パッシブ型又はアクティブ型などの人感センサー２を、前記ＥＬプレート１の一部に設置するが、これは接近してくる人間を感知してセンサー制御回路に信号を送るものである。
【００２０】
（３）センサー制御回路
人感センサーからの信号を受けて、連動制御回路に動作開始の信号を送る。また、タイマー機構が組み込まれている場合は、動作開始の信号を一回送ると、約１分間動作開始の信号を止めるようにするが、これによって電気消費量が節約されることになる。
【００２１】
（４）連動制御・演算回路
センサー制御回路からの動作開始の信号を受けて、発光及び音声の動作が連動して開始するように制御するとともに、発光面積の異なるＥＬの各セグメントが同一の明るさによって発光するように電流のバランスをコントロールすることにより、広告宣伝効果を高めることになる。
【００２２】
（５）ＥＬ発光制御回路
ＥＬの各セグメント1a,1b,1c,1dの発光タイミングと発光時間は、定められたプログラムにしたがって制御する。
【００２３】
（６）音声メモリー回路
予め記憶されている音声を、連動制御回路からの動作開始信号によって出力する。
【００２４】
（７）音声増幅回路
出力された音声を適当な大きさに電気的に増幅してスピーカーに送る。
【００２５】
図２において、３は前記インバーター回路、人感センサー回路、連動制御・演算回路、音声メモリー回路、音声増巾回路、スピーカー、電池を内蔵する器体で、この器体の形状は任意である。
【００２６】
４は前記器体３の一部に一体に設けかつ器体を当該商品の陳列棚板の裏面部などの人目に触れない場所に接着するマグネット板である。
【００２７】
５は前記ＥＬプレート１を棚板の前端縁部に取付けるためのフックで、その形状は任意である。
【図面の簡単な説明】
【００２８】
【図１】全体の電気回路図
【図２】全体装置例の斜視図
【図３】一使用例要部の斜視図
【図４】他使用例の斜視図
【図５】他々使用例の斜視図
【符号の説明】
【００２９】
１                    ＥＬプレート
1a,b,c,d              ＥＬの各セグメント
２                    人感センサー
３                    器体
４                    マグネット板
５                    取付けフック
【図１】
2007271737.tif 000003
【図２】
2007271737.tif 000004
【図３】
2007271737.tif 000005
【図４】
2007271737.tif 000006
【図５】
2007271737.tif 000007